(57)【要約】【課題】所望の患部に極めて容易に皺が生じることなくきれいに貼着することができる画期的な貼付剤貼着具を提供することを目的とする。【解決手段】シート状貼付剤Ｓを仮貼着する第一仮貼着部１及び第二仮貼着部２と、この第一仮貼着部１と第二仮貼着部１との間に形成された空間部３に挿脱自在に配設される押圧部４とを備え、第一仮貼着部１，第二仮貼着部２間に架設状態にシート状貼付剤Ｓに仮貼着して押圧部４をシート状貼付剤Ｓの非貼着面側から空間部３に挿入配設した際、この押圧部４によって仮貼着したシート状貼付剤Ｓの空間部３に位置している部分が下方に押し下げられると共に、この下方に押し下げられたシート状貼付剤Ｓが基体部５の底部よりも下方側に突出するように構成した貼付剤貼着具。【選択図】図１
2014180329.tif 000002
【特許請求の範囲】
【請求項１】
肩こり、腰痛、筋肉痛等の患部にシート状貼付剤を貼着する際に用いる貼付剤貼着具であって、前記シート状貼付剤の一側を仮貼着する第一仮貼着部と、この第一仮貼着部の先端側に間隔をおいて並設し前記第一仮貼着部に仮貼着した前記シート状貼付剤の他側を仮貼着する第二仮貼着部と、前記第一仮貼着部と前記第二仮貼着部との間に形成された空間部に挿脱自在に配設される押圧部とから成る基体部を備え、前記第一仮貼着部，前記第二仮貼着部間に架設状態に前記シート状貼付剤に仮貼着して前記押圧部を前記シート状貼付剤の非貼着面側から前記空間部に挿入配設した際、この押圧部によって前記第一仮貼着部，第二仮貼着部間に架設状態に仮貼着したシート状貼付剤の前記空間部に位置している部分が下方に押し下げられると共に、この下方に押し下げられたシート状貼付剤が前記基体部の底部よりも下方側に突出するように構成し、この基体部の底部よりも下方側に突出したシート状貼付剤を患部に当て前記押圧部で患部を押圧しながら前記基体部を前記第一仮貼着部と前記第二仮貼着部の並設方向となる前後方向に移動させると、前記第一仮貼着部及び前記第二仮貼着部に仮貼着した前記シート状貼付剤がこの第一仮貼着部及び前記第二仮貼着部から剥離し引き出されて患部に貼着するように構成したことを特徴とする貼付剤貼着具。
【請求項２】
前記基体部は、前記第一仮貼着部及び前記第二仮貼着部並びに前記空間部を設けた第一基体半体部と、前記押圧部を設けた第二基体半体部とで構成すると共に、前記第一基体半体部に対して前記第二基体半体部を着脱自在若しくは擺動自在に設けた構成とし、この第二基体半体部の前記第一基体半体部に対する着脱操作若しくは擺動操作により前記押圧部が前記空間部に挿脱するように構成したことを特徴とする請求項１記載の貼付剤貼着具。
【請求項３】
前記押圧部は、前記第一仮貼着部と前記第二仮貼着部の並設方向となる前後方向と直交する左右方向に前記シート状貼付剤の縦方向寸法又は横方向寸法と同等以上の長さを有する長尺形状に形成した構成したことを特徴とする請求項１，２のいずれか１項に記載の貼付剤貼着具。
【請求項４】
前記押圧部は、前記第一仮貼着部と前記第二仮貼着部の並設方向となる前後方向に遊転自在に設けた押圧ローラで構成としたことを特徴とする請求項１〜３のいずれか１項に記載の貼付剤貼着具。
【請求項５】
前記第一仮貼着部は、前記第一仮貼着部と前記第二仮貼着部の並設方向と直交する方向を軸方向とする多数のローラ体を、前記第一仮貼着部と前記第二仮貼着部の並設方向となる前後方向に並設した構成としたことを特徴とする請求項１〜４のいずれか１項に記載の貼付剤貼着具。
【請求項６】
前記第二仮貼着部は、前記第一仮貼着部と前記第二仮貼着部の並設方向と直交する方向を軸方向とする一若しくは複数のローラ体から成り、複数のローラ体で構成した場合は、このローラ体を、前記第一仮貼着部と前記第二仮貼着部の並設方向となる前後方向に並設した構成としたことを特徴とする請求項１〜５のいずれか１項に記載の貼付剤貼着具。
【請求項７】
前記ローラ体は、周面にこのローラ体の回転方向に長さを有する多数の凸条部と凹条部とを軸方向に交互に設けた構成とし、前記シート状貼付剤を前記第一仮貼着部に仮貼着した際、この凸条部に前記シート状貼付剤が仮貼着するように構成したことを特徴とする請求項５，６のいずれか１項に記載の貼付剤貼着具。
【発明の詳細な説明】
【技術分野】
【０００１】
本発明は、肩こり、腰痛、筋肉痛等の患部にシート状貼付剤を貼着する際に用いる貼付剤貼着具に関するものである。
【背景技術】
【０００２】
従来、肩こり、腰痛、打身、筋肉痛等の治療剤として、薬効成分を含有した貼着面を有する様々なシート状貼付剤が流通している。
【０００３】
このシート状貼付剤を患部に貼着する際、患部が腕や足等の手が届き易い部位の場合は、自分自身で比較的容易に且つきれいに貼着することができるが、患部が背中や腰など手が届きにくい部位の場合は、自分自身で容易に貼着することができず、皺ができたり、貼着面同士が付着してしまったりする不具合が生じてしまうことがあった。
【０００４】
従来、このような不具合を解決するために、先行技術文献１（特開２００５−７４１８９号）のような湿布貼り具（以下、従来例と称す）が提案されている。
【０００５】
この従来例は、基端に握り部を有すると共に第一挟持板部を一体に有する本体と、この本体の前記第一挟持板部に対して揺動開閉自在として前記基端側が前記本体に枢着されると共に引抜抵抗面を有する第二挟持板部とを具備し、更に、前記第一挟持板部の先端を、閉状態の前記第二挟持板部の先端よりも先端方向へ延設すると共に前記第二挟持板部の外面の延長平面に交差する方向に湾曲させて、湿布を身体患部へ押し付ける際の押え部に形成し、湿布を患部に貼着する際、湿布の先端が押え部に掛かるようにして第一挟持板部と第二挟持板部とで挟持して、押え部を患部に軽く押圧しつつ基端側に移動させることで、第一挟持板部と第二挟持板部とで挟持した湿布が面ファスナによって生じる引抜抵抗によって適度に引っ張られながら患部に貼着されるように構成したものである。
【先行技術文献】
【特許文献】
【０００６】
【特許文献１】特開２００５−７４１８９号公報
【発明の概要】
【発明が解決しようとする課題】
【０００７】
しかしながら、この従来例は、第一挟持板部と第二挟持板部とで挟持している部分以外、具体的には、湿布の先端側は自由状態になっているので、貼着時、押え部を患部に押当てる前に自由状態の先端側が押え部から離れて貼着面同士がくっついてしまうことがあり、特に貼付剤が厚みの薄い貼着面に粘着剤を含んだテープ剤タイプの場合は、このような不具合が顕著に発生していた。
【０００８】
本発明は、このような現状に鑑み、パップ剤の貼付剤は勿論のこと、薄くて貼着面同士がくっつき易いテープ剤タイプの貼付剤でも、所望の患部に極めて容易に皺が生じることなくきれいに貼着することができる画期的な貼付剤貼着具を提供することを目的とする。
【課題を解決するための手段】
【０００９】
添付図面を参照して本発明の要旨を説明する。
【００１０】
肩こり、腰痛、筋肉痛等の患部にシート状貼付剤Ｓを貼着する際に用いる貼付剤貼着具であって、前記シート状貼付剤Ｓの一側を仮貼着する第一仮貼着部１と、この第一仮貼着部１の先端側に間隔をおいて並設し前記第一仮貼着部１に仮貼着した前記シート状貼付剤Ｓの他側を仮貼着する第二仮貼着部２と、前記第一仮貼着部１と前記第二仮貼着部１との間に形成された空間部３に挿脱自在に配設される押圧部４とから成る基体部５を備え、前記第一仮貼着部１，前記第二仮貼着部２間に架設状態に前記シート状貼付剤Ｓに仮貼着して前記押圧部４を前記シート状貼付剤Ｓの非貼着面側から前記空間部３に挿入配設した際、この押圧部４によって前記第一仮貼着部１，第二仮貼着部２間に架設状態に仮貼着したシート状貼付剤Ｓの前記空間部３に位置している部分が下方に押し下げられると共に、この下方に押し下げられたシート状貼付剤Ｓが前記基体部５の底部よりも下方側に突出するように構成し、この基体部５の底部よりも下方側に突出したシート状貼付剤Ｓを患部に当て前記押圧部４で患部を押圧しながら前記基体部５を前記第一仮貼着部１と前記第二仮貼着部２の並設方向となる前後方向に移動させると、前記第一仮貼着部１及び前記第二仮貼着部２に仮貼着した前記シート状貼付剤Ｓがこの第一仮貼着部１及び前記第二仮貼着部２から剥離し引き出されて患部に貼着するように構成したことを特徴とする貼付剤貼着具に係るものである。
【００１１】
また、前記基体部５は、前記第一仮貼着部１及び前記第二仮貼着部２並びに前記空間部３を設けた第一基体半体部５Ａと、前記押圧部４を設けた第二基体半体部５Ｂとで構成すると共に、前記第一基体半体部５Ａに対して前記第二基体半体部５Ｂを着脱自在若しくは擺動自在に設けた構成とし、この第二基体半体部５Ｂの前記第一基体半体部５Ａに対する着脱操作若しくは擺動操作により前記押圧部４が前記空間部３に挿脱するように構成したことを特徴とする請求項１記載の貼付剤貼着具に係るものである。
【００１２】
また、前記押圧部４は、前記第一仮貼着部１と前記第二仮貼着部２の並設方向となる前後方向と直交する左右方向に前記シート状貼付剤Ｓの縦方向寸法又は横方向寸法と同等以上の長さを有する長尺形状に形成した構成したことを特徴とする請求項１，２のいずれか１項に記載の貼付剤貼着具に係るものである。
【００１３】
また、前記押圧部４は、前記第一仮貼着部１と前記第二仮貼着部２の並設方向となる前後方向に遊転自在に設けた押圧ローラ４で構成としたことを特徴とする請求項１〜３のいずれか１項に記載の貼付剤貼着具に係るものである。
【００１４】
また、前記第一仮貼着部１は、前記第一仮貼着部１と前記第二仮貼着部２の並設方向と直交する方向を軸方向とする多数のローラ体６を、前記第一仮貼着部１と前記第二仮貼着部２の並設方向となる前後方向に並設した構成としたことを特徴とする請求項１〜４のいずれか１項に記載の貼付剤貼着具に係るものである。
【００１５】
また、前記第二仮貼着部２は、前記第一仮貼着部１と前記第二仮貼着部２の並設方向と直交する方向を軸方向とする一若しくは複数のローラ体６から成り、複数のローラ体６で構成した場合は、このローラ体６を、前記第一仮貼着部１と前記第二仮貼着部２の並設方向となる前後方向に並設した構成としたことを特徴とする請求項１〜５のいずれか１項に記載の貼付剤貼着具に係るものである。
【００１６】
また、前記ローラ体６は、周面にこのローラ体６の回転方向に長さを有する多数の凸条部７と凹条部８とを軸方向に交互に設けた構成とし、前記シート状貼付剤Ｓを前記第一仮貼着部１に仮貼着した際、この凸条部７に前記シート状貼付剤Ｓが仮貼着するように構成したことを特徴とする請求項５，６のいずれか１項に記載の貼付剤貼着具に係るものである。
【発明の効果】
【００１７】
本発明は上述のように構成したから、シート状貼付剤を所望の患部に極めて容易に皺が生じることなくきれいに貼着することができる実用性に優れた画期的な貼付剤貼着具となる。
【００１８】
また、請求項２記載の発明においては、押圧部を空間部に対して挿脱自在に設ける構成を簡易に設計実現可能となり、また、この押圧部の空間部への挿脱操作が容易となり使い勝手の良い実用性に優れた貼付剤貼着具となる。
【００１９】
また、請求項３，４記載の発明においては、シート状貼付剤を患部に均一に押し付けることができ、より一層容易に皺が生じることなくきれいに貼着することができる実用性に優れた貼付剤貼着具となる。
【００２０】
また、請求項５記載の発明においては、貼着作業時に、第一仮貼着部に仮貼着したシート状貼付剤が容易に第一仮貼着部から剥がれてスムーズに引き出される構成を簡易に設計実現可能となる画期的な貼付剤貼着具となる。
【００２１】
また、請求項６記載の発明においては、貼着作業時に、第二仮貼着部に仮貼着したシート状貼付剤が容易に第二仮貼着部から剥がれてスムーズに引き出される構成を簡易に設計実現可能となる画期的な貼付剤貼着具となる。
【００２２】
また、請求項７記載の発明においては、第一仮貼着部又は第二仮貼着部とシート状貼付剤の貼着面との接触面積が減少し、仮貼着したシート状貼付剤が、より一層容易に剥がれてスムーズに引き出され、しかも、接触面積の減少により、シート状貼付剤の貼着面に含まれる薬効成分や粘着成分の第一仮貼着部又は第二仮貼着部への付着もほとんど起こらずシート状貼付剤の性能を低下させない一層実用性に優れた画期的な貼付剤貼着具となる。
【図面の簡単な説明】
【００２３】
【図１】本実施例を示す斜視図である。
【図２】本実施例のローラ体を示す拡大平面図である。
【図３】本実施例の使用状態を示す説明図である。
【図４】本実施例の使用状態を示す説明図である。
【図５】本実施例の使用状態を示す説明図である。
【図６】本実施例の使用状態を示す説明図である。
【図７】本実施例の使用状態を示す説明図である。
【図８】本実施例の使用状態を示す説明図である。
【発明を実施するための形態】
【００２４】
好適と考える本発明の実施形態を、図面に基づいて本発明の作用を示して簡単に説明する。
【００２５】
シート状貼付剤Ｓを第一仮貼着部１と第二仮貼着部２との間に架設状態に仮貼着し、この仮貼着したシート状貼付剤Ｓの非貼着面側となる上方側から押圧部４を空間部３に挿入配設すると、仮貼着状態のシート状貼付剤Ｓの第一仮貼着部１と第二仮貼着部２との間に形成された空間部３に位置している部分が押圧部４によって下方に押し下げられ、この下方に押し下げられた部分のシート状貼付剤Ｓの貼着面が本体部５の底部よりも下方に突出した状態となる。
【００２６】
この際、シート状貼付剤Ｓは、一端部が第一仮貼着部１、他端部が第二仮貼着部２に仮貼着された状態なので、このシート状貼付剤Ｓを仮貼着した基体部５を如何なる角度に傾斜させても、また、上下方向に向きを反転させても仮貼着状態が保持され、従来のようにシート状貼付剤Ｓが基体部５から離れてぶらぶらした自由な状態になるようなことはなくなり、シート状貼付剤Ｓに自由状態の部位が生じず、従って、貼着作業前に基体部５に仮貼着したシート状貼付剤Ｓの貼着面同士がくっついてしまうような不具合は生じない。
【００２７】
この下方に突出したシート状貼付剤Ｓの貼着面を患部に当て、押圧部４で患部を押圧しながら基体部５を第一仮貼着部１と第二仮貼着部２との並設方向、具体的には、例えば、前方となる第二仮貼着部２側に移動させると、第二仮貼着部２に仮貼着している部分が基体部５の移動に伴って徐々に第二仮貼着部２から剥離し引き出されて患部に貼着され、また、同様に、押圧部４で患部を押圧しながら基体部５を後方となる第一仮貼着部１側に移動させると、第一仮貼着部１に仮貼着している部分が基体部５の移動に伴って徐々に第一仮貼着部１から剥離し引き出されて患部に貼着される。
【００２８】
この第一仮貼着部１及び第二仮貼着部２に仮貼着したシート状貼付剤Ｓを夫々患部に貼着する際も、シート状貼付剤Ｓは、仮貼着した側の夫々の端部が第一仮貼着部１又は第二仮貼着部２に仮貼着された状態で貼着されるので、貼着時も貼着面同士がくっついてしまうような不具合がなく皺を生じさせることなくきれいに貼着することができる。
【００２９】
このように、本発明は、シート状貼付剤Ｓを第一仮貼着部１及び第二仮貼着部２に仮貼着し、この仮貼着したシート状貼付剤Ｓを徐々に引き出しながら患部に貼着するので、貼着時にシート状貼付剤Ｓがぶらぶらした自由な状態にならず、シート状貼付剤Ｓを所望の患部に極めて容易に、しかも、皺なくきれいに貼着することができる実用性に優れた画期的な貼付剤貼着具となる。
【実施例】
【００３０】
本発明の具体的な実施例について図面に基づいて説明する。
【００３１】
本実施例は、シート状貼付剤Ｓを身体に貼着する際に用いる貼付剤貼着具であって、前記シート状貼付剤Ｓの一側を仮貼着する第一仮貼着部１と、この第一仮貼着部１の先端側に間隔をおいて並設し前記第一仮貼着部１に仮貼着した前記シート状貼付剤Ｓの他側を仮貼着する第二仮貼着部２と、前記第一仮貼着部１と前記第二仮貼着部１との間に形成された空間部３に挿脱自在に配設される押圧部４とから成る基体部５を備え、前記第一仮貼着部１，前記第二仮貼着部２間に架設状態に前記シート状貼付剤Ｓに仮貼着して前記押圧部４を前記シート状貼付剤Ｓの非貼着面側から前記空間部３に挿入配設した際、この押圧部４によって前記第一仮貼着部１，第二仮貼着部２間に架設状態に仮貼着したシート状貼付剤Ｓの前記空間部３に位置している部分が下方に押し下げられると共に、この下方に押し下げられたシート状貼付剤Ｓが前記基体部５の底部よりも下方側に突出するように構成し、この基体部５の底部よりも下方側に突出したシート状貼付剤Ｓを被貼着部に前記押圧部４で押圧しながら、前記基体部５を前記第一仮貼着部１と前記第二仮貼着部２の並設方向となる前後方向に移動させると、前記第一仮貼着部１及び前記第二仮貼着部２に仮貼着状態の前記シート状貼付剤Ｓがこの第一仮貼着部１及び前記第二仮貼着部２から剥離し引き出されて被貼着部に貼着するように構成した貼付剤貼着具である。
【００３２】
以下、本実施例に係る構成各部について詳細に説明する。
【００３３】
本実施例の基体部５は、第一仮貼着部１及び第二仮貼着部２並びに空間部３を設けた第一基体半体部５Ａと、押圧部４を設けた第二基体半体部５Ｂとで構成すると共に、第一基体半体部５Ａに対して第二基体半体部５Ｂを着脱自在若しくは擺動自在に設けた構成とし、この第二基体半体部５Ｂの第一基体半体部５Ａに対する着脱操作若しくは擺動操作により押圧部４が空間部３に挿脱するように構成している。
【００３４】
具体的には、図１に示すように、第一基体半体部５Ａを下側、第二基体半体部５Ｂを上側となるように配設し、これらを左右方向の一端側で枢着して第一基体半体部５Ａに対して第二基体半体部５Ｂを擺動自在に設けた構成としている。
【００３５】
より具体的に説明すると、この基体部５を構成する第一基体半体部５Ａは、コ字状に形成した枠体９の前方側となる開口部側に第二仮貼着部２を設け、この第二仮貼着部２と間隔をおいて、後方側となる開口部と対向する底部側に第一仮貼着部１を並設した構成とし、また、この第一仮貼着部１と第二仮貼着部２との間に形成された空間部３を後述する押圧部４を挿入配設する押圧部挿入配設口３とした構成としている。
【００３６】
更に詳しく説明すると、本実施例では、第一仮貼着部１を多数のローラ体６で形成した構成とし、具体的には、第一仮貼着部１は、第一仮貼着部１と第二仮貼着部２の並設方向と直交する方向を軸方向とするローラ体６を、第一仮貼着部１と第二仮貼着部２の並設方向となる前後方向に多数並設した構成としている。
【００３７】
より具体的には、図１に示すように、枠体９の左右の枠杆間に架設状態に設けたローラ体６を、第一仮貼着部１と第二仮貼着部２の並設方向となる前後方向に間隔をおいて多数並設した構成としている。
【００３８】
また、本実施例は、第一仮貼着部１同様、第二仮貼着部２もローラ体６で形成した構成とし、具体的には、第二仮貼着部２は、第一仮貼着部１と第二仮貼着部２の並設方向と直交する方向を軸方向とするローラ体６を、第一仮貼着部１の前方側に間隔をおいて並設した構成としている。
【００３９】
より具体的には、図１に示すように、枠体９の左右の枠杆の先端部間に架設状態に設けた一本のローラ体６で形成した構成としている。
【００４０】
尚、本実施例では、この第二仮貼着部２を一本のローラ体６で構成しているが、複数のローラ体６を、第一仮貼着部１同様に前後方向に並設した構成としても良い。
【００４１】
また、この第一仮貼着部１及び第二仮貼着部２を構成するローラ体６は、図２に示すように、周面にこのローラ体６の回転方向に長さを有する多数の凸条部７と凹条部８とを軸方向に交互に設けた構成とし、シート状貼付剤Ｓを第一仮貼着部１に仮貼着した際、この凸条部７にシート状貼付剤Ｓが仮貼着するように構成し、本実施例では、このローラ体６をねじ切りして周面に螺旋状の凹条部８を形成することによって、この多数の凸条部７と凹条部８とを軸方向に交互に設けた構成としている。
【００４２】
また、この第一基体半体部５Ａと共に基体部５を構成する第二基体半体部５Ｂは、矩形に形成した板体10の前方側に押圧部４を設けた構成とし、上述した第一基体半体部５Ａの枠体９の左右の枠杆の一方側に枢着して、第一基体半体部５Ａに対して擺動自在に設けた構成としている。
【００４３】
具体的には、押圧部４は、第一仮貼着部１と第二仮貼着部２の並設方向となる前後方向と直交する左右方向にシート状貼付剤Ｓの縦方向寸法又は横方向寸法と同等以上の長さを有する長尺形状に形成した構成し、より具体的には、本実施例では、図１に示すように、この押圧部４を第一仮貼着部１と第二仮貼着部２の並設方向となる前後方向に遊転自在に設けた押圧ローラ４で構成している。
【００４４】
また、この第二基体半体部５Ｂは、押圧ローラ４の後方側に貼付剤押え部11を設けた構成としている。
【００４５】
具体的には、貼付剤押え部11は、図３に示すように、押圧ローラ４と略同等の長さに設定し、押圧ローラ４と平行となるように配設し、更に、図４に示すように、第二基体半体部５Ｂを閉じ状態にして第一基体半体部５Ａに重合状態で係合させた際、第一仮貼着部１を形成するローラ体６の先端に位置するローラ体６とこれと隣接するローラ体６との間に位置すると共に、第一仮貼着部１に仮貼着したシート状貼付剤Ｓに当接若しくは近接状態となるように配設して、第一仮貼着部１の後方側から剥離しながら引き出されてきたシート状貼付剤Ｓが剥がれて浮いてしまった状態になっても、この貼付剤押え部11によって押さえつけることで、剥がれて浮いてしまったシート状貼付剤Ｓを先端のローラ体６に再仮貼着するように構成している。
【００４６】
また、本実施例の基体部５は、この第二基体半体部５Ｂに係止部12を設け、第二基体半体部５Ｂを閉じ状態にして第一基体半体部５Ａに重合状態で係合させた際、この係止部12が第一基体半体部５Ａに設けた係止受部13に係合係止して第二基体半体部５Ｂの閉じ状態が保持され、押圧ローラ４を患部に押圧した際、反作用により第二基体半体部５Ｂが開動して押圧ローラ４が患部に対して押圧状態とならないような不具合が生じないように構成している。
【００４７】
また更に、本実施例の基体部５は、この第二基体半体部５Ｂにハンドル部14を設けた構成としている。
【００４８】
本実施例のハンドル部14は、図５に示すように、先端側を湾曲形状に形成して、このハンドル部14の先端部に設けた基体部５を容易に背中側に配置することができるように構成している。
【００４９】
尚、本実施例では、第一基体半体部５Ａに対して第二基体半体部５Ｂを枢着して擺動自在に設けた構成としたが、第一基体半体部５Ａに対して第二基体半体部５Ｂを着脱自在に設けた構成としても良い。
【００５０】
以上のように構成した本実施例の作用効果を、使用方法を説明しながら以下に説明する。
【００５１】
先ず、シート状貼付剤Ｓを基体部５にセットする。具体的には、図３に示すように、第二基体半体部５Ｂを開き、シート状貼付剤Ｓを第一仮貼着部１と第二仮貼着部２とに架設状態に仮貼着する。
【００５２】
この際、シート状貼付剤Ｓは、第一仮貼着部１及び第二仮貼着部２を形成するローラ体６の凸条部７に仮貼着するので、仮貼着面積が少なく、よって、仮貼着したシート状貼付剤Ｓは、容易に剥がることができ、また、接触面積が少ないので、シート状貼付剤Ｓの貼着面に含まれる薬効成分や粘着成分の第一仮貼着部又は第二仮貼着部への付着もほとんど起こらずシート状貼付剤の性能も低下しない。
【００５３】
次に、図４に示すように、第二基体半体部５Ｂを閉動して第一基体半体部５Ａと重合状態にする。
【００５４】
この第二基体半体部５Ｂを第一基体半体部５Ａに対して閉動すると、第二基体半体部５Ｂに設けた押圧ローラ４が第一基体半体部５Ａの押圧部挿入配設口３に挿入配設されるが、この際、第一仮貼着部１と第二仮貼着部２間に架設している部分、即ち、シート状貼付剤Ｓの押圧部挿入配設口３上に位置している部分が押圧ローラ４により下方に押し下げられ、この押し下げられたシート状貼付剤Ｓは、基体部５（第二基体半体部５Ｂ）の底部よりも下方側に突出した状態となり、シート状貼付剤Ｓの基体部５へのセットが終了する。
【００５５】
この基体部５にセットしたシート状貼付剤Ｓを、例えば、背中に貼着する際、図５に示すように、ハンドル部12を把持し基体部５を背中側に配設し、図６に示すように、押圧ローラ４と共に基体部５の底部より突出したシート状貼付剤Ｓの貼着面を患部に押当てる。
【００５６】
この基体部５にセットしたシート状貼付剤Ｓを患部に貼着する際、シート状貼付剤Ｓは、一端部が第一仮貼着部１、他端部が第二仮貼着部２に仮貼着された状態なので、このシート状貼付剤Ｓを仮貼着した基体部５を如何なる角度に傾斜させても、また、上下方向に向きを反転させても仮貼着状態が保持され、従来のようにシート状貼付剤Ｓが基体部５から離れてぶらぶらした自由な状態になるようなことはなく、よって、シート状貼付剤Ｓに自由状態の部位が生じず、従って、貼着作業前に基体部５に仮貼着したシート状貼付剤Ｓの貼着面同士がくっついてしまうような不具合は生じない。
【００５７】
この基体部５の底部より突出したシート状貼付剤Ｓの貼着面を患部に押当てた状態から、図７に示すように、基体部５を下方側に移動させると、第二仮貼着部２に仮貼着したシート状貼付剤Ｓが剥離し引き出されて患部に貼着される。
【００５８】
この第二仮貼着部２に仮貼着したシート状貼付剤Ｓを患部に貼着する際も、シート状貼付剤Ｓは、仮貼着した側の端部が第二仮貼着部２に仮貼着された状態で貼着されるので、貼着時も貼着面同士がくっついてしまうような不具合がなく皺を生じさせることなくきれいに貼着することができる。
【００５９】
この第二仮貼着部２に仮貼着した部分のシート状貼付剤Ｓの貼着が貼り終えたら、図８に示すように、基体部５を上方側に移動させると、第一仮貼着部１に仮貼着したシート状貼付剤Ｓが剥離し引き出されて患部に貼着される。
【００６０】
この第一仮貼着部１に仮貼着したシート状貼付剤Ｓを患部に貼着する際も、シート状貼付剤Ｓは、仮貼着した側の端部が第一仮貼着部１に仮貼着された状態で貼着されるので、貼着時も貼着面同士がくっついてしまうような不具合がなく皺を生じさせることなくきれいに貼着することができる。
【００６１】
このように、本実施例は、シート状貼付剤Ｓを第一仮貼着部１及び第二仮貼着部２に仮貼着し、基体部５を前後方向に移動させることで第一仮貼着部１及び第二仮貼着部２に仮貼着したシート状貼付剤Ｓを徐々に引き出しながら患部に貼着するので、貼着時にシート状貼付剤Ｓがぶらぶらした自由な状態にならず、シート状貼付剤Ｓを所望の患部に極めて容易に、しかも、皺なくきれいに貼着することができる実用性に優れた画期的な貼付剤貼着具となる。
【００６２】
尚、本発明は、本実施例に限られるものではなく、各構成要件の具体的構成は適宜設計し得るものである。
【符号の説明】
【００６３】
１  第一仮貼着部
２  第二仮貼着部
３  空間部
４  押圧部，押圧ローラ
５  基体部
５Ａ  第一基体半体部
５Ｂ  第二基体半体部
６  ローラ体
７  凸条部
８  凹条部
Ｓ  シート状貼付剤
【図１】
2014180329.tif 000003
【図２】
2014180329.tif 000004
【図３】
2014180329.tif 000005
【図４】
2014180329.tif 000006
【図５】
2014180329.tif 000007
【図６】
2014180329.tif 000008
【図７】
2014180329.tif 000009
【図８】
2014180329.tif 000010